(57)【要約】【課題】パネルを有していなくても、ユーザに実行中の工程を報知することが可能なスキャン装置を提供する。【解決手段】給紙口から給紙された用紙を搬送する搬送機構と、搬送中の用紙に記された画像の一部を読み取る読取装置とを備え、スキャン処理と、スキャン処理と異なる処理を実行可能なスキャン装置において、スキャン処理と異なる処理を構成する複数の工程のうちの所定の工程が実行されている際に、複数の工程のそれぞれを示す複数の工程情報７２が記された接続専用用紙７０の、実行中の工程情報が記された部位が、排出口から排出されてからさらに、排出口から所定量離れた提示位置まで搬送される。これにより、パネルを有していないスキャン装置、若しくは、表示性能の低いパネルを有するスキャン装置であっても、提示位置に搬送された工程情報によって、ユーザに実行中の工程を報知することが可能となる。【選択図】図２
2015070494.tif 000002
【特許請求の範囲】
【請求項１】
給紙口から給紙された用紙を、搬送経路を介して排出口まで搬送する搬送機構と、
前記搬送機構によって搬送されている用紙に記された画像の一部を読み取り、読み取り信号を出力する読取装置と、
制御装置と、
を備えたスキャン装置であって、
前記制御装置は、
前記読取装置から前記読み取り信号を受信し、当該読み取り信号から、用紙に記された画像に係る画像データを生成するスキャン処理を実行するスキャン処理実行手段と、
複数の工程を含み前記スキャン処理と異なる処理を実行するための処理実行手段と、
前記処理実行手段によって前記複数の工程のうちの所定の工程が実行されている際に、前記複数の工程のそれぞれを示す複数の工程情報が記された用紙である専用用紙の、前記所定の工程情報が記された部位である所定工程情報記載部位が、前記排出口から排出されてからさらに、前記搬送経路外であって、かつ、前記排出口から所定量離れた提示位置まで搬送されるように、前記搬送機構を制御する搬送機構制御手段と、
を有することを特徴とするスキャン装置。
【請求項２】
前記専用用紙には、前記複数の工程情報のそれぞれに対応して複数の工程識別記号が記されており、
前記制御装置は、
前記複数の工程のそれぞれと前記複数の工程識別記号のそれぞれとの対応を示す工程記号対応情報を、前記スキャン装置の内部又は外部の記憶装置から取得する取得手段と、
前記取得手段が取得した前記工程記号対応情報から前記所定の工程に対応する前記工程識別記号を抽出する識別記号抽出手段と、
前記識別記号抽出手段により抽出した前記工程識別記号を、前記スキャン処理実行手段によって取得した画像データにおいて検出する識別記号検出手段と、
を有し、
前記搬送機構制御手段は、
前記識別記号検出手段によって前記工程識別記号を検出してから、前記専用用紙を所定距離、搬送することで、前記所定工程情報記載部位を前記提示位置まで搬送することを特徴とする請求項１に記載のスキャン装置。
【請求項３】
前記所定距離は、
前記読取装置が含む読取り素子の配設位置と前記提示位置との前記搬送経路に沿う方向における離間距離であることを特徴とする請求項２に記載のスキャン装置。
【請求項４】
前記専用用紙には、前記複数の工程情報毎に、前記読取装置が含む読取り素子の配設位置と前記提示位置との前記搬送経路に沿う方向における離間距離と同じ距離だけ搬送方向と反対方向において離れた位置に、複数の工程識別記号が記されており、
前記制御装置は、
前記複数の工程のそれぞれと前記複数の工程識別記号のそれぞれとの対応を示す工程記号対応情報を、前記スキャン装置の内部又は外部の記憶装置から取得する取得手段と、
前記取得手段が取得した前記工程記号対応情報から前記所定の工程に対応する前記工程識別記号を抽出する識別記号抽出手段と、
前記識別記号抽出手段により抽出した前記工程識別記号を、前記スキャン処理実行手段により取得した画像データにおいて検出する識別記号検出手段と、
を有し、
前記搬送機構制御手段は、
前記識別記号検出手段によって前記工程識別記号を検出するまで前記専用用紙を搬送することを特徴とする請求項１に記載のスキャン装置。
【請求項５】
前記処理実行手段は、複数の工程を含み前記スキャン処理と異なる複数の処理をそれぞれ実行し、
前記専用用紙には、当該専用用紙に記された前記複数の工程情報が示す前記複数の工程を含む処理を識別するための処理識別記号が記されており、
前記識別記号検出手段は、前記処理識別記号についても、前記スキャン処理実行手段によって取得した画像データにおいて検出し、
前記取得手段は、
前記識別記号検出手段により検出された処理識別記号により識別される処理に対応する前記工程記号対応情報を、取得することを特徴とする請求項２ないし請求項４の何れか１項に記載のスキャン装置。
【請求項６】
前記制御装置は、
前記複数の工程と工程毎の前記専用用紙の搬送方向における基準位置からの搬送量とが関連付けられた搬送量対応情報を、前記スキャン装置の内部又は外部の記憶装置から取得する取得手段と、
前記取得手段により取得した前記搬送量対応情報から前記所定の工程に対応する前記専用用紙の搬送方向における基準位置からの搬送量を抽出する搬送量抽出手段を有し、
前記搬送機構制御手段は、
前記搬送量抽出手段によって抽出された搬送方向における基準位置から前記専用用紙の搬送量に基づいて、前記専用用紙を搬送することで、前記所定工程情報記載部位を前記提示位置まで搬送することを特徴とする請求項１に記載のスキャン装置。
【請求項７】
前記処理実行手段は、複数の工程を含み前記スキャン処理と異なる複数の処理をそれぞれ実行し、
前記専用用紙には、当該専用用紙に記された前記複数の工程情報が示す前記複数の工程を含む前記処理を識別するための処理識別記号が記されており、
前記制御処理装置は、前記スキャン処理実行手段によって取得した画像データにおいて前記処理情報識別記号を検出する識別記号検出手段を備え、
前記取得手段は、
前記識別記号検出手段によって検出された処理情報識別記号により識別される処理に対応する前記搬送量対応情報を、取得することを特徴とする請求項６に記載のスキャン装置。
【請求項８】
前記複数の工程は複数の選択肢のいずれかを選択する選択工程を含み、
前記処理実行手段は、
前記所定の工程が前記選択工程である場合に、前記読取装置から受信した画像データにおけるユーザの書き込み位置に基づいて、前記複数の選択肢から１つの選択肢を決定し、決定された前記１つの選択肢を反映して、処理を実行することを特徴とする請求項１ないし請求項７の何れか１項に記載のスキャン装置。
【請求項９】
前記スキャン装置はユーザの操作を受け付けるための操作部を備え、
前記複数の工程は複数の選択肢のいずれかを選択する選択工程を含み、
前記処理実行手段は、
前記所定の工程が前記選択工程である場合に、前記複数の選択肢のいずれかに対応する操作信号を前記操作部から受信した際に、当該操作信号に対応する選択肢を反映して、前記処理を実行することを特徴とする請求項１ないし請求項８の何れか１項に記載のスキャン装置。
【請求項１０】
給紙口から給紙された用紙を、搬送経路を介して排出口まで搬送する搬送機構と、
前記搬送機構によって搬送されている用紙に記された画像の一部を読み取り、読み取り信号を出力する読取装置と、
を備えたスキャン装置のコンピュータが読み取り可能な制御プログラムであって、
前記読取装置から前記読み取り信号を受信し、当該読み取り信号から、用紙に記された画像に係る画像データを生成するスキャン処理を実行するスキャン処理実行手段と、
複数の工程を含み前記スキャン処理と異なる処理を実行するための処理実行手段と、
前記処理実行手段によって前記複数の工程のうちの所定の工程が実行されている際に、前記複数の工程のそれぞれを示す複数の工程情報が記された用紙である専用用紙の、前記所定の工程情報が記された部位である所定工程情報記載部位が、前記排出口から排出されてからさらに、前記搬送経路外であって、かつ、前記排出口から所定量離れた提示位置まで搬送されるように、前記搬送機構を制御する搬送機構制御手段と、
して前記コンピュータを機能させることを特徴とする制御プログラム。
【発明の詳細な説明】
【技術分野】
【０００１】
本発明は、搬送機構と読取装置とを備えたスキャン装置、およびスキャン装置の作動を制御する制御プログラムに関する。
【背景技術】
【０００２】
スキャン装置には、用紙に記された画像のスキャン処理を行うだけでなく、スキャン処理と異なる処理を実行可能なものがある。このようなスキャン処理と異なる処理は、通常、複数の工程を含んでおり、それら複数の処理のうちの実行されている処理の内容を、ユーザに報知するべく、パネル等に表示することが好ましい。下記特許文献に記載のスキャン装置は、パネルを備えており、そのパネルに実行中の工程を示す工程情報を表示することで、ユーザに実行中の工程を報知することが可能となる。
【先行技術文献】
【特許文献】
【０００３】
【特許文献１】特開２０１１−７７８１２号公報
【発明の概要】
【発明が解決しようとする課題】
【０００４】
上記特許文献に記載されているように、パネルを有するスキャン装置であれば、実行中の工程情報をパネルに表示することで、実行中の工程をユーザに報知することが可能となる。しかしながら、パネルを有していないスキャン装置では、実行中の工程情報をパネルに表示できない。また、パネルを有するスキャン装置であっても、そのパネルの表示性能が低い場合には、パネルに工程情報を適切に表示できない虞がある。このため、このようなスキャン装置では、ユーザに実行中の工程を報知することができない。
【０００５】
本発明は、そのような事情に鑑みてなされたものであり、パネルを有していないスキャン装置、若しくは、表示性能の低いパネルを有するスキャン装置であっても、ユーザに実行中の工程を適切に報知することが可能なスキャン装置、及びスキャン装置の作動を制御する制御プログラムを提供する。
【課題を解決するための手段】
【０００６】
上記課題を解決するために、本発明に記載のスキャン装置は、給紙口から給紙された用紙を、搬送経路を介して排出口まで搬送する搬送機構と、前記搬送機構によって搬送されている用紙に記された画像の一部を読み取り、読み取り信号を出力する読取装置と、制御装置と、を備えたスキャン装置であって、前記制御装置は、前記読取装置から前記読み取り信号を受信し、当該読み取り信号から、用紙に記された画像に係る画像データを生成するスキャン処理を実行するスキャン処理実行手段と、複数の工程を含み前記スキャン処理と異なる処理を実行するための処理実行手段と、前記処理実行手段によって前記複数の工程のうちの所定の工程が実行されている際に、前記複数の工程のそれぞれを示す複数の工程情報が記された用紙である専用用紙の、前記所定の工程情報が記された部位である所定工程情報記載部位が、前記排出口から排出されてからさらに、前記搬送経路外であって、かつ、前記排出口から所定量離れた提示位置まで搬送されるように、前記搬送機構を制御する搬送機構制御手段と、を有することを特徴とする。
【０００７】
また、上記課題を解決するために、本発明に記載の制御プログラムは、給紙口から給紙された用紙を、搬送経路を介して排出口まで搬送する搬送機構と、前記搬送機構によって搬送されている用紙に記された画像の一部を読み取り、読み取り信号を出力する読取装置と、を備えたスキャン装置のコンピュータが読み取り可能な制御プログラムであって、前記読取装置から前記読み取り信号を受信し、当該読み取り信号から、用紙に記された画像に係る画像データを生成するスキャン処理を実行するスキャン処理実行手段と、複数の工程を含み前記スキャン処理と異なる処理を実行するための処理実行手段と、前記処理実行手段によって前記複数の工程のうちの所定の工程が実行されている際に、前記複数の工程のそれぞれを示す複数の工程情報が記された用紙である専用用紙の、前記所定の工程情報が記された部位である所定工程情報記載部位が、前記排出口から排出されてからさらに、前記搬送経路外であって、かつ、前記排出口から所定量離れた提示位置まで搬送されるように、前記搬送機構を制御する搬送機構制御手段と、して前記コンピュータを機能させることを特徴とする。
【発明の効果】
【０００８】
本発明に記載のスキャン装置及び、制御プログラムでは、所定の処理を構成する複数の工程のそれぞれを示す複数の工程情報が、専用用紙に記されている。そして、複数の工程のうちの所定の工程が実行されている際に、その所定の工程の工程情報が記された部位が、スキャン装置の排出口から排出されてからさらに、その排出口から所定距離離れた提示位置まで搬送される。これにより、パネルを有していないスキャン装置、若しくは、表示性能の低いパネルを有するスキャン装置であっても、提示位置に搬送された工程情報によって、ユーザに実行中の工程を報知することが可能となる。
【図面の簡単な説明】
【０００９】
【図１】ＭＦＰ１０のブロック図である。
【図２】接続専用用紙７０を示す図である。
【図３】ＭＦＰ１０の動作フローチャートを示す図である。
【図４】ＭＦＰ１０の動作フローチャートを示す図である。
【図５】ＭＦＰ１０の動作フローチャートを示す図である。
【図６】設定専用用紙８０を示す図である。
【図７】ＭＦＰ１０の動作フローチャートを示す図である。
【図８】ＭＦＰ１０の動作フローチャートを示す図である。
【図９】ＭＦＰ１０の動作フローチャートを示す図である。
【図１０】接続専用用紙９０を示す図である。
【発明を実施するための形態】
【００１０】
＜第１実施形態＞
図１に、本願に係る第１実施形態として例示されるＭＦＰ（Multifunction Peripheralの略）（本発明のスキャン装置の一例）１０のブロック図を示す。ＭＦＰ１０は、ＣＰＵ（Central Processing Unitの略）（本発明の制御装置およびコンピュータの一例）１２、記憶部１４、パネル１６、ボタン入力部（本発明の操作部の一例）１８、スキャナ２０、プリンタ２２、モデム２４、電話回線接続部２６、ネットワーク用Ｉ／Ｆ２８を主に備えている。これらの構成要素は、入出力ポート３０を介して互いに通信可能とされている。
【００１１】
パネル１６は、ＭＦＰ１０の各種機能を表示する表示面を備える。なお、パネル１６の表示面は、比較的小さく、多くの情報を表示することができない。ボタン入力部１８は、タッチセンサを有し、パネル１６と一体的に構成されている。ボタン入力部１８は、入力媒体のパネル１６への接近・接触を検出し、ユーザによるボタン操作を受け付ける。また、ボタン入力部１８は、操作ボタンを有し、操作ボタンがユーザにより押下された場合に、ユーザによるボタン操作を受け付ける。
【００１２】
スキャナ２０は、搬送機構３２と読取装置３４とを有している。搬送機構３２は、原稿台に載置された用紙を給紙口から取り込み、ＭＦＰ１０内に形成された搬送経路を介して、排出口まで搬送する。その搬送機構３２によって搬送された用紙の画像は、読取装置３４のイメージセンサ（本発明の読取り素子の一例）３５によって読み取られることで、スキャン処理が行われる。スキャン処理としては、イメージセンサ３５が、対向部位にある原稿に印刷された画像を読み取り、ＡＤコンバータ３６へアナログデータを出力する。ＡＤコンバータ３６は、アナログデータをデジタルデータに変換し、変換された画像のデジタルデータが、ＣＰＵ１２の制御に従って、記憶部１４に出力される。これにより、イメージセンサ３５によって１回の読取可能な範囲の画像が、デジタルデータとして記憶部１４に記憶される。そして、原稿が、搬送機構３２によって搬送され、イメージセンサ３５による画像の読取が行われる。以上の処理が繰り返されることで、原稿のスキャン処理が完了する。なお、ＣＰＵ１２による所定の画像の読取は、記憶部１４に記憶された所定の画像のデジタルデータを、ＣＰＵ１２が認識することで行われる。また、スキャン処理による所定の画像の抽出は、ＣＰＵ１２が所定の画像を認識できるまでスキャン処理を実行することで行われる。
【００１３】
プリンタ２２は、搬送機構３８と印刷機構４０とを有しており、搬送機構３８によって搬送される用紙に、印刷機構４０による印刷処理が行われる。モデム２４は、ファクシミリ機能によって送信する原稿データを、電話回線網４６に伝送可能な信号に変調して電話回線接続部２６を介して送信したり、電話回線網４６から電話回線接続部２６を介して入力された信号を受信し、原稿データを復調するものである。
【００１４】
ネットワーク用Ｉ／Ｆ２８は、既知の無線ＬＡＮアクセスポイントであるアクセスポイント５０を介して、無線ＬＡＮ方式のインフラストラクチャーモード（複数の無線ＬＡＮ端末装置が、アクセスポイントを介してデータ通信するモード）に準拠する無線通信（電波を用いたデータ通信）５２を行うことが可能とされている。また、ＰＣ（Personal computerの略）５６も、アクセスポイント５０を介して、無線ＬＡＮ方式のインフラストラクチャーモードに準拠する無線通信５８を行うことが可能とされている。すなわち、ＭＦＰ１０は、アクセスポイント５０を介して、ＰＣ５６に各種データを送信することが可能である。
【００１５】
また、ＣＰＵ１２は、記憶部１４内の無線ＬＡＮ接続プログラム（本発明の制御プログラムの一例）６０に従って処理を実行する。無線ＬＡＮ接続プログラム６０は、ＰＣ５６とアクセスポイント５０を介して無線通信を行うためのプログラムである。なお、記憶部１４は、ＲＡＭ（Random Access Memoryの略）、ＲＯＭ（Read Only Memoryの略）、フラッシュメモリー、ＨＤＤ（ハードディスクの略）、ＣＰＵ１２が備えるバッファなどが組み合わされて構成されている。また、記憶部１４は、データ記憶領域（本発明の記憶装置の一例）６４を備える。データ記憶領域６４は、パネル１６に表示するための画像の画像データ、無線ＬＡＮ接続プログラム６０の実行に必要なデータなどを記憶する領域である。
【００１６】
＜ＭＦＰとＰＣとの無線通信＞
ＭＦＰ１０では、アクセスポイント５０を介して、ＰＣ５６と無線ＬＡＮ方式の無線通信を行い、ＰＣ５６と各種データの送受信を行うことが可能である。ＭＦＰ１０とＰＣ５６との間で無線通信が接続される際には、無線通信接続専用の用紙（以下、「接続専用用紙」と記載する場合がある）がスキャナ２０の搬送機構３２により搬送され、その接続専用用紙によって、ユーザは、ＰＣ５６との無線通信の接続状況を確認することが可能となっている。
【００１７】
詳しくは、接続専用用紙７０には、図２に示すように、ＭＦＰ１０とＰＣ５６との間で無線通信が接続される際の複数の工程に関する情報（以下、「工程情報」と記載する場合がある）７２が記載されている。具体的には、複数の工程情報７２として、無線通信の接続処理を開始する旨の情報７２ａ、アクセスポイント５０を検索中である旨の情報７２ｂ、アクセスポイント５０を検索できなかった旨の情報７２ｃ、アクセスポイント５０を複数検索した旨の情報７２ｄ、適切なアクセスポイント５０を検索した旨の情報７２ｅ、アクセスポイント５０への接続を行っている旨の情報７２ｆ、アクセスポイント５０との接続が電波不良により行えなかった旨の情報７２ｇ、アクセスポイント５０との接続が確立した旨の情報７２ｈが、接続専用用紙７０に記載されている。
【００１８】
また、接続専用用紙７０には、複数の工程情報７２の各々が記載されている行の先頭に、各工程情報７２を識別するための識別記号（以下、「工程識別記号」と記載する場合がある）７６が記されている。複数の工程識別記号７６は、バーコード，２次元コード等であり、互いに異なっている。そして、各工程識別記号７６と、各工程識別記号７６が記されている行の工程情報７２とが関連付けられた情報（以下、「工程記号対応情報」）が、マップデータとして、データ記憶領域６４に記憶されている。このため、接続専用用紙７０が、スキャナ２０の搬送機構３２によって搬送されている際に、工程識別記号７６がイメージセンサ３５によって読み取られ、工程記号対応情報が参照されることで、読み取られた工程識別記号７６が記されている行の工程情報７２が特定される。なお、工程情報７２ａ〜７２ｈの各々に対応する工程識別記号７６を、工程識別記号７６ａ〜７６ｈと記載する場合がある。
【００１９】
さらに、接続専用用紙７０の下端部には、工程識別記号７６と異なる識別記号（以下、「処理識別記号」と記載する場合がある）７８が記されている。処理識別記号７８も、バーコード，２次元コード等であり、接続専用用紙７０独自のコードとなっている。このため、接続専用用紙７０が、スキャナ２０の搬送機構３２によって搬送されている際に、処理識別記号７８がイメージセンサ３５によって読み取られることで、搬送中の用紙が接続専用用紙７０であると特定される。
【００２０】
また、ボタン入力部１８の操作ボタンには、無線通信の接続を開始するためのボタン（以下、「接続開始ボタン」と記載する場合がある）がある。その接続開始ボタンが、ユーザにより、押下された場合に、ＭＦＰ１０とＰＣ５６との間で無線通信を接続するための処理が行われる。この際、接続開始ボタンの押下時に、接続専用用紙７０を原稿台に載置しておくことで、無線通信の接続状況に応じた工程情報７２が所定の位置に移動するように、接続専用用紙７０がスキャナ２０の搬送機構３２によって搬送される。
【００２１】
具体的には、まず、接続開始ボタンがユーザにより押下されると、スキャン処理が開始し、接続専用用紙７０が原稿台から搬送経路に搬送される。原稿台には、接続専用用紙７０の処理識別記号７８が記されている側の端部が先頭となるように、載置されており、スキャン処理によって、搬送中の接続専用用紙７０に記されている処理識別記号７８が読み取られる。処理識別記号７８が読み取られると、ＣＰＵ１２では、搬送中の用紙が、接続専用用紙７０であると認定される。つまり、搬送中の用紙が、無線通信の接続に対応した用紙であると認定される。この際に、搬送中の用紙が、無線通信の接続に対応した用紙でない場合、若しくは、用紙が搬送されていない場合、つまり、原稿台に用紙が載置されていない場合には、無線通信の接続状況に応じた接続専用用紙７０の搬送は行われず、通常の無線通信の接続処理が開始される。
【００２２】
搬送中の用紙が接続専用用紙７０であると特定されると、搬送機構３２による接続専用用紙７０の搬送が停止する。そして、ＭＦＰ１０とＰＣ５６との間での無線通信を接続するための処理が開始する。無線通信の接続処理が開始すると、スキャン処理が再開され、搬送機構３２による接続専用用紙７０の搬送および、イメージセンサ３５による接続専用用紙７０の読み取りが再開する。また、ＣＰＵ１２では、マップデータとしての工程記号対応情報が参照され、無線通信の接続処理を開始する旨の情報と対応する工程識別記号７６が抽出される。これにより、工程識別記号７６ａが抽出される。そして、抽出された工程識別記号７６ａが、イメージセンサ３５によって読み取られたか否かが判断され、抽出された工程識別記号７６ａが、イメージセンサ３５によって読み取られたと判断された際に、接続専用用紙７０を設定距離、搬送する旨の指令が、ＣＰＵ１２から搬送機構３２に送信される。
【００２３】
この設定距離は、スキャナ２０の排出口から排出されてからさらに、搬送経路外であって、かつ、排出口から所定距離（例えば、接続専用用紙７０に記されている文字の縦方向の長さより僅かに長い距離）離れた位置（以下、「提示位置」と記載する場合がある）と、イメージセンサ３５の配設位置との搬送経路に沿う方向における離間距離とされている。また、工程識別記号７６ａの隣には、無線通信の接続処理を開始する旨の工程情報７２ａが記載されている。このため、工程識別記号７６ａがイメージセンサ３５によって読み取られてから、接続専用用紙７０が、設定距離、搬送されることで、接続専用用紙７０の工程情報７２ａの記載部位が、提示位置まで搬送される。これにより、接続専用用紙７０の一部が、スキャナ２０の用紙排出口から排出され、その一部の一番上の部分、つまり、用紙排出口に最も近い部分に、工程情報７２ａの記載部位が位置する。これにより、ユーザは、提示位置に位置する工程情報７２ａを確認し、工程情報７２ａの内容、つまり、無線通信の接続処理が開始したことを、認識できる。
【００２４】
また、ＭＦＰ１０とＰＣ５６との間での無線通信を接続するための処理では、まず、アクセスポイント５０の検索が行われる。このため、ＣＰＵ１２では、アクセスポイント５０の検索中である旨の情報と対応する工程識別記号７６が抽出される。これにより、工程識別記号７６ｂが抽出される。そして、抽出された工程識別記号７６ｂが、イメージセンサ３５によって読み取られるまで、スキャン処理が再開する。工程識別記号７６ｂがイメージセンサ３５によって読み取られると、上述した設定距離、接続専用用紙７０を搬送する旨の指令が、ＣＰＵ１２から搬送機構３２に送信される。そして、接続専用用紙７０が、指令に応じた距離、搬送されることで、工程情報７２ｂの記載部位が、提示位置に搬送される。これにより、ユーザは、工程情報７２ｂの内容、つまり、アクセスポイント５０の検索中であることを、認識できる。
【００２５】
続いて、アクセスポイント５０の検索処理において、適切にアクセスポイント５０が検索された場合には、ＣＰＵ１２では、アクセスポイント５０が適切に検索された旨の情報と対応する工程識別記号７６が抽出される。これにより、工程識別記号７６ｅが抽出される。そして、抽出された工程識別記号７６ｅが、イメージセンサ３５によって読み取られるまで、スキャン処理が再開する。工程識別記号７６ｅがイメージセンサ３５によって読み取られると、上述した設定距離、接続専用用紙７０を搬送する旨の指令が、ＣＰＵ１２から搬送機構３２に送信される。そして、接続専用用紙７０が、指令に応じた距離、搬送されることで、工程情報７２ｅの記載部位が、提示位置に搬送される。これにより、ユーザは、工程情報７２ｅの内容、つまり、適切にアクセスポイント５０が検索されたことを、認識できる。
【００２６】
一方で、アクセスポイント５０の検索処理において、アクセスポイント５０の検索が適切に行われなかった場合には、ＣＰＵ１２では、アクセスポイント５０の検索が適切に行われなった旨の情報と対応する工程識別記号７６が抽出される。なお、アクセスポイント５０の検索が適切に行われない場合としては、アクセスポイント５０を１つも検索できない場合と、アクセスポイント５０を複数検索した場合とがあり、それぞれの場合に応じて、工程識別記号７６が抽出される。このため、アクセスポイント５０を１つも検索できない場合には、工程識別記号７６ｃが抽出され、アクセスポイント５０を複数検索した場合には、工程識別記号７６ｄが抽出される。そして、抽出された工程識別記号７６ｃ、若しくは工程識別記号７６ｄが、イメージセンサ３５によって読み取られるまで、スキャン処理が再開する。工程識別記号７６ｃ、若しくは工程識別記号７６ｄがイメージセンサ３５によって読み取られると、上述した設定距離、接続専用用紙７０を搬送する旨の指令が、ＣＰＵ１２から搬送機構３２に送信される。そして、接続専用用紙７０が、指令に応じた距離、搬送されることで、工程情報７２ｃ、若しくは工程情報７２ｄの記載部位が、提示位置に搬送される。これにより、ユーザは、工程情報７２ｃの内容、つまり、アクセスポイント５０を１つも検索できないこと、若しくは、工程情報７２ｄの内容、つまり、アクセスポイント５０を複数検索したことを、認識できる。
【００２７】
また、アクセスポイント５０が適切に検索された場合には、アクセスポイント５０との無線通信の接続処理が行われる。この際、ＣＰＵ１２では、アクセスポイント５０との無線通信の接続中である旨の情報と対応する工程識別記号７６が抽出される。これにより、工程識別記号７６ｆが抽出される。そして、抽出された工程識別記号７６ｆが、イメージセンサ３５によって読み取られるまで、スキャン処理が再開する。工程識別記号７６ｆがイメージセンサ３５によって読み取られると、上述した設定距離、接続専用用紙７０を搬送する旨の指令が、ＣＰＵ１２から搬送機構３２に送信される。そして、接続専用用紙７０が、指令に応じた距離、搬送されることで、工程情報７２ｆの記載部位が、提示位置に搬送される。これにより、ユーザは、工程情報７２ｆの内容、つまり、アクセスポイント５０との無線通信の接続中であることを、認識できる。
【００２８】
続いて、アクセスポイント５０との無線通信の接続処理において、無線通信の接続が成功した場合には、ＣＰＵ１２では、アクセスポイント５０との無線通信の接続成功の情報と対応する工程識別記号７６が抽出される。これにより、工程識別記号７６ｈが抽出される。そして、抽出された工程識別記号７６ｈが、イメージセンサ３５によって読み取られるまで、スキャン処理が再開する。工程識別記号７６ｈがイメージセンサ３５によって読み取られると、上述した設定距離、接続専用用紙７０を搬送する旨の指令が、ＣＰＵ１２から搬送機構３２に送信される。そして、接続専用用紙７０が、指令に応じた距離、搬送されることで、工程情報７２ｈの記載部位が、提示位置に搬送される。これにより、ユーザは、工程情報７２ｈの内容、つまり、無線通信の接続が成功したことを、認識できる。そして、工程情報７２ｈの記載部位が提示位置に搬送されてから、５秒経過後に、接続専用用紙７０が、用紙排出口から排出される。
【００２９】
一方、アクセスポイント５０との無線通信の接続処理において、電波不良のため無線通信が接続できなかった場合には、ＣＰＵ１２では、アクセスポイント５０との無線通信の接続不良の情報と対応する工程識別記号７６が抽出される。これにより、工程識別記号７６ｇが抽出される。そして、抽出された工程識別記号７６ｇが、イメージセンサ３５によって読み取られるまで、スキャン処理が再開する。工程識別記号７６ｇがイメージセンサ３５によって読み取られると、上述した設定距離、接続専用用紙７０を搬送する旨の指令が、ＣＰＵ１２から搬送機構３２に送信される。そして、接続専用用紙７０が、指令に応じた距離、搬送されることで、工程情報７２ｇの記載部位が、提示位置に搬送される。これにより、ユーザは、工程情報７２ｇの内容、つまり、無線通信が電波不良のため接続できなかったことを、認識できる。
【００３０】
なお、アクセスポイント５０の検索処理が適切に行われなかった場合、および、アクセスポイント５０との無線通信の接続が適切に行われなかった場合には、提示位置に工程情報７２ｃ、７２ｄ、７２ｇの記載部位が搬送された後に、接続専用用紙７０が、用紙排出口から排出される。
【００３１】
このように、接続専用用紙７０には、無線通信の接続時に実行される複数の工程に関する工程情報７２が記載されており、複数の工程のうちの実行中の工程に関する工程情報７２の記載部位が、提示位置に搬送される。これにより、ユーザは、提示位置に搬送される工程情報７２を閲覧することで、ＰＣ５６との無線通信の接続状況を確認することが可能となっている。特に、ＭＦＰ１０のパネル１６の表示面は、上述したように、比較的小さく、多くの情報を表示することができないため、パネル１６の代わりに、接続専用用紙７０を用いることで、ユーザは、適切にＰＣ５６との無線通信の接続状況を確認することが可能となる。
【００３２】
また、接続専用用紙７０に記載されている複数の工程情報７２には、複数の工程情報７２に対応して工程識別記号７６が記載されている。これにより、工程情報７２の記載部位を適切に特定することが可能となり、工程情報７２の記載部位を、確実に提示位置に搬送することが可能となる。
【００３３】
＜無線ＬＡＮ接続プログラム＞
上述したＭＦＰ１０とＰＣ５６との無線通信の接続処理は、ＣＰＵ１２において無線ＬＡＮ接続プログラム６０が実行されることによって行われる。具体的に、図３乃至図５を用いて、ＭＦＰ１０とＰＣ５６との無線通信の接続を確立させるためのフローを説明する。
【００３４】
無線ＬＡＮ接続プログラム６０では、まず、接続開始ボタンが押下されたか否かが、ＣＰＵ１２によって判断される（ステップ（以下、「Ｓ」と略す）１００）。接続開始ボタンが押下されていない場合には（Ｓ１００のＮＯ）、Ｓ１００の処理が繰り返される。一方、接続開始ボタンが押下された場合には（Ｓ１００のＹＥＳ）、スキャン処理が開始する（Ｓ１０２）。次に、接続専用用紙７０が搬送されているか否かが、ＣＰＵ１２によって判断される（Ｓ１０４）。詳しくは、搬送機構３２によって何らかの用紙が搬送されているか否か、および、搬送中の用紙が、接続専用用紙７０であるか否かが、ＣＰＵ１２によって判断される。接続専用用紙７０が搬送されている場合には（Ｓ１０４のＹＥＳ）、スキャン処理が停止する（Ｓ１０６）。そして、アクセスポイント５０の検索処理が開始する（Ｓ１０８）。続いて、用紙搬送サブルーチンが実行される（Ｓ１１０）。
【００３５】
用紙搬送サブルーチンでは、まず、図５に示すように、所定の処理、つまり、アクセスポイント５０の検索を開始する旨の情報に対応する工程識別記号７６ａが抽出される（Ｓ１４０）。なお、このステップでは、工程識別記号７６を抽出するために、記号対応情報がデータ記憶領域６４から取得される。そして、スキャン処理が開始する（Ｓ１４２）。次に、スキャン処理において、抽出された工程識別記号７６ａがイメージセンサ３５によって読み取られたか否かが、ＣＰＵ１２によって判断される（Ｓ１４４）。抽出された工程識別記号７６ａがイメージセンサ３５によって読み取られていない場合には（Ｓ１４４のＮＯ）、Ｓ１４２に戻る。一方、抽出された工程識別記号７６ａがイメージセンサ３５によって読み取られた場合には（Ｓ１４４のＹＥＳ）、接続専用用紙７０が設定距離、搬送される（Ｓ１４６）。そして、用紙搬送サブルーチンが終了する。
【００３６】
用紙搬送サブルーチンが終了すると、図３に示すように、アクセスポイント５０が検索されたか否かが、ＣＰＵ１２によって判断される（Ｓ１１２）。アクセスポイント５０が検索されたと判断された場合には（Ｓ１１２のＹＥＳ）、検索されたアクセスポイント５０の数が複数であるか否かが、ＣＰＵ１２によって判断される（Ｓ１１４）。検索されたアクセスポイント５０の数が複数でない場合、つまり、検索されたアクセスポイント５０の数が１つである場合には（Ｓ１１４のＮＯ）、用紙搬送サブルーチンが実行される（Ｓ１１６）。この用紙搬送サブルーチンでは、Ｓ１４０で適切なアクセスポイント５０を検索した旨の情報に対応する工程識別記号７６ｅが抽出されることを除いて、Ｓ１１０の用紙搬送サブルーチンと同じ処理が実行される。このため、用紙搬送サブルーチンの説明を省略する。
【００３７】
Ｓ１１６の用紙搬送サブルーチンが終了すると、アクセスポイント５０との無線通信の接続が開始する（Ｓ１１８）。そして、用紙搬送サブルーチンが実行される（Ｓ１２０）。この用紙搬送サブルーチンでは、Ｓ１４０でアクセスポイント５０への接続を行っている旨の情報に対応する工程識別記号７６ｆが抽出されることを除いて、Ｓ１１０の用紙搬送サブルーチンと同じ処理が実行される。このため、用紙搬送サブルーチンの説明を省略する。
【００３８】
Ｓ１２０の用紙搬送サブルーチンが終了すると、アクセスポイント５０との無線通信の接続が成功したか否かが、ＣＰＵ１２によって判断される（Ｓ１２２）。アクセスポイント５０との無線通信の接続が成功した場合には（Ｓ１２２のＹＥＳ）、用紙搬送サブルーチンが実行される（Ｓ１２４）。この用紙搬送サブルーチンでは、Ｓ１４０でアクセスポイント５０との無線通信が成功した旨の情報に対応する工程識別記号７６ｈが抽出されることを除いて、Ｓ１１０の用紙搬送サブルーチンと同じ処理が実行される。このため、用紙搬送サブルーチンの説明を省略する。
【００３９】
Ｓ１２４の用紙搬送サブルーチンが終了すると、このサブルーチンが終了してから５秒経過したか否かが、ＣＰＵ１２によって判断される（Ｓ１２６）。サブルーチンの終了から５秒経過していない場合には（Ｓ１２６のＮＯ）、Ｓ１２６の処理が繰り返される。一方、サブルーチンの終了から５秒経過した場合には（Ｓ１２６のＹＥＳ）、接続専用用紙７０が排出口から排出される（Ｓ１２８）。以上の処理により、無線ＬＡＮ接続プログラム６０が終了する。
【００４０】
また、Ｓ１２２でアクセスポイント５０との無線通信の接続が成功しなかった場合には（Ｓ１２２のＮＯ）、用紙搬送サブルーチンが実行される（Ｓ１３０）。この用紙搬送サブルーチンでは、Ｓ１４０でアクセスポイント５０との無線通信が成功しなかった旨の情報に対応する工程識別記号７６ｇが抽出されることを除いて、Ｓ１１０の用紙搬送サブルーチンと同じ処理が実行される。このため、用紙搬送サブルーチンの説明を省略する。Ｓ１３０の用紙搬送サブルーチンが終了すると、接続専用用紙７０が排出口から排出される（Ｓ１３２）。以上の処理により、無線ＬＡＮ接続プログラム６０が終了する。
【００４１】
また、Ｓ１１４で検索されたアクセスポイント５０の数が複数である場合には（Ｓ１１４のＹＥＳ）、用紙搬送サブルーチンが実行される（Ｓ１３０）。この用紙搬送サブルーチンでは、Ｓ１４０で複数のアクセスポイント５０を検索した旨の情報に対応する工程識別記号７６ｄが抽出されることを除いて、Ｓ１１０の用紙搬送サブルーチンと同じである。このため、用紙搬送サブルーチンの説明を省略する。そして、上記したＳ１３２以降の処理が行われる。
【００４２】
また、Ｓ１１２でアクセスポイント５０が検索されなかった場合には（Ｓ１１２のＮＯ）、用紙搬送サブルーチンが実行される（Ｓ１３０）。この用紙搬送サブルーチンでは、Ｓ１４０でアクセスポイント５０を検索できなかった旨の情報に対応する工程識別記号７６ｃが抽出されることを除いて、Ｓ１１０の用紙搬送サブルーチンと同じである。このため、用紙搬送サブルーチンの説明を省略する。そして、上記したＳ１３２以降の処理が行われる。
【００４３】
また、Ｓ１０４で接続専用用紙７０と異なる用紙が搬送されている場合、若しくは、原稿台に用紙が載置されておらず、搬送機構３２による用紙の搬送が行われていない場合には（Ｓ１０４のＮＯ）、通常のＭＦＰ１０とＰＣ５６との無線通信の接続処理が行われる（Ｓ１３４）。つまり、実行中の工程に応じた接続専用用紙７０の搬送は行われず、接続処理のみが行われる。そして、無線ＬＡＮ接続プログラム６０が終了する。
【００４４】
＜ＣＰＵの機能構成＞
上記無線ＬＡＮ接続プログラム６０を実行するＣＰＵ１２は、それの実行処理に鑑みれば、図１に示すような機能構成を有するものと考えることができる。図から解るように、ＣＰＵ１２は、スキャン処理実行手段１００と、処理実行手段１０２と、搬送機構制御手段１０４と、取得手段１０６と、識別記号抽出手段１０８と、識別記号検出手段１１０とを有している。
【００４５】
スキャン処理実行手段１００は、上記無線ＬＡＮ接続プログラム６０のＳ１０２、Ｓ１４２の処理を実行する機能部である。処理実行手段１０２は、上記無線ＬＡＮ接続プログラム６０のＳ１０８、Ｓ１１８、Ｓ１３４の処理を実行する機能部である。搬送機構制御手段１０４は、上記無線ＬＡＮ接続プログラム６０のＳ１４６の処理を実行する機能部である。取得手段１０６は、上記無線ＬＡＮ接続プログラム６０のＳ１４０の処理を実行する機能部である。識別記号抽出手段１０８は、上記無線ＬＡＮ接続プログラム６０のＳ１４０の処理を実行する機能部である。識別記号検出手段１１０は、上記無線ＬＡＮ接続プログラム６０のＳ１４４の処理を実行する機能部である。
【００４６】
＜第２実施形態＞
第２実施形態に係るＭＦＰ１０では、ＭＦＰ１０とＰＣ５６との無線通信の接続時だけでなく、ＭＦＰ１０の初期設定が行われる際にも、専用用紙がスキャナ２０の搬送機構３２により搬送され、その専用用紙によって、ユーザは、初期設定の進捗状況を確認することが可能となっている。以下に、ＭＦＰ１０の初期設定が行われる際の、専用用紙の搬送手法について詳しく説明する。なお、第２実施形態におけるＭＦＰ１０の構成は、第１実施形態におけるＭＦＰ１０の構成と同じであるため、ここでは説明を省略する。
【００４７】
ＭＦＰ１０の初期設定専用の用紙（以下、「設定専用用紙」と記載する場合がある）８０には、図６に示すように、ＭＦＰ１０の初期設定が行われる際の複数の工程に関する情報（以下、「工程情報」と記載する場合がある）８２が記載されている。具体的には、複数の工程情報８２として、ＭＦＰ１０が用いられる国の設定（以下、「国設定」と記載する場合がある）を開始する旨の情報８２ａ、国設定にエラーが生じた旨の情報８２ｂ、国設定が完了した旨の情報８２ｃ、ＭＦＰ１０で用いられる言語の設定（以下、「言語設定」と記載する場合がある）を開始する旨の情報８２ｄ、言語設定にエラーが生じた旨の情報８２ｅ、言語設定が完了した旨の情報８２ｆ、印刷用のカートリッジ（図示省略）を所定の位置に装着する装着処理を開始する旨の情報８２ｇ、カートリッジ装着処理にエラーが生じた旨の情報８２ｈ、カートリッジ装着処理が完了した旨の情報８２ｉ、初期導入時のパージ処理を開始する旨の情報８２ｊ、初期導入時のパージ処理にエラーが生じた旨の情報８２ｋ、初期導入時のパージ処理が完了した旨の情報８２ｌ、テストプリントの出力処理を開始する旨の情報８２ｍ、テストプリント出力処理にエラーが生じた旨の情報８２ｎ、テストプリント出力処理が完了した旨の情報８２ｏ、ハンドセット（図示省略）を所定の位置への取付確認処理を開始する旨の情報８２ｐ、ハンドセットの取付確認処理にエラーが生じた旨の情報８２ｑ、ハンドセットの取付確認処理が完了した旨の情報８２ｒ、電話回線の判別処理を開始する旨の情報８２ｓ、電話回線の判別処理にエラーが生じた旨の情報８２ｔ、電話回線の判別処理が完了した旨の情報８２ｕ、初期設定が完了した旨の情報８２ｖが、設定専用用紙８０に記載されている。
【００４８】
また、設定専用用紙８０の下端部には、処理識別記号８６が記載されている。処理識別記号８６は、バーコード，２次元コード等であり、設定専用用紙８０独自のコードとなっている。このため、設定専用用紙８０が、スキャナ２０の搬送機構３２によって搬送されている際に、処理識別記号８６がイメージセンサ３５によって読み取られることで、搬送中の用紙が設定専用用紙８０であると特定される。
【００４９】
また、ボタン入力部１８の操作ボタンには、ＭＦＰ１０の初期設定を開始するための開始ボタンがある。ただし、この開始ボタンは、ＭＦＰ１０の初期設定だけでなく、ＭＦＰ１０とＰＣ５６との無線通信の接続処理を開始するための開始ボタンとしても、機能しており、搬送される用紙に応じて、ＭＦＰ１０の初期設定、若しくは、ＭＦＰ１０とＰＣ５６との無線通信の接続処理が開始する。詳しくは、その開始ボタンが、ユーザにより、押下されると、原稿台に載置されている用紙が、スキャナ２０の搬送機構３２によって搬送され、イメージセンサ３５によって、搬送中の用紙の画像が読み取られる。この際、画像の読み取りにより処理識別記号７８が検出された場合には、ＭＦＰ１０とＰＣ５６との無線通信の接続処理が開始する。一方、処理識別記号８６が検出された場合には、ＭＦＰ１０の初期設定が開始する。なお、ＭＦＰ１０とＰＣ５６との無線通信の接続処理は、第１実施例の接続処理と略同じであるため、説明を省略し、ＭＦＰ１０の初期設定について、以下に、具体的に説明する。
【００５０】
開始ボタンがユーザにより押下され、処理識別記号８６が検出されると、搬送機構３２による設定専用用紙８０の搬送が停止する。そして、ＭＦＰ１０の初期設定が開始する。ＭＦＰ１０の初期設定では、まず、国設定が行われるが、任意の国を選択するべく、パネル１６に、複数の国名、例えば、国Ａと国Ｂと国Ｃとが表示される。この際、ＣＰＵ１２では、国設定を開始する旨の工程情報８２ａが提示位置に搬送されるように、設定専用用紙８０の搬送量が決定される。詳しくは、各工程情報８２と、工程情報８２に応じた搬送量とが関連付けられた情報（以下、「搬送量対応情報」）が、マップデータとして、データ記憶領域６４に記憶されている。このため、国設定を開始する際に、ＣＰＵ１２では、マップデータとしての搬送量対応情報が参照され、国設定を開始する旨の工程情報８２ａに対応する搬送量が抽出される。そして、設定専用用紙８０を、抽出された搬送量、搬送する旨の指令が、ＣＰＵ１２から搬送機構３２に送信される。なお、国設定を開始する旨の工程情報８２ａに対応する搬送量は、設定専用用紙８０の処理識別記号８６の記載位置を基準として、設定されている。具体的には、提示位置とイメージセンサ３５の配設位置との間の距離と、設定専用用紙８０における処理識別記号８６の記載位置と工程情報８２ａの記載位置との間の距離とを合計した距離に相当する量が設定されている。これにより、工程情報８２ａが提示位置に搬送される。
【００５１】
なお、設定専用用紙８０が搬送される際には、工程情報８２ａの記載部位が、イメージセンサ３５の配設位置を通過するが、この際に、工程情報８２ａの記載部位に、ユーザによる書き込みが有る場合には、その書き込みが、イメージセンサ３５によって読み取られる。詳しくは、設定専用用紙８０の工程情報８２ａには、図６に示すように、国Ａと国Ｂと国Ｃとが記載されており、その下方には、「設定したい国に○を記載する」ように促す記述がある。このため、ユーザは、設定専用用紙８０を原稿台にセットする前に、工程情報８２ａの国Ａと国Ｂと国Ｃとのうちの何れかに○を書き込む場合がある。このような場合には、その書き込みが、イメージセンサ３５によって読み取られ、その書き込み位置が、ＣＰＵ１２によって特定される。データ記憶領域６４には、国名、つまり、国Ａと国Ｂと国Ｃとの何れかの国名と書き込み位置とが関連付けて、マップデータとして記憶されており、ＣＰＵ１２は、そのマップデータを参照して、ユーザに選択された国名を取得する。そして、初期設定におけるＭＦＰ１０の使用国が、設定専用用紙８０への書き込みによって特定された国に設定される。
【００５２】
一方、ユーザによる工程情報８２ａへの書き込みが行われていない場合があるが、設定専用用紙８０の工程情報８２ａには、図６に示すように、「設定したい国をパネルに表示された国から選択する」ように促す記述がある。また、パネル１６には、上述したように、国Ａと国Ｂと国Ｃとが表示される。このため、ユーザが、パネル１６へのタッチ操作により、国Ａと国Ｂと国Ｃとのうちの何れかを選択する場合がある。このような場合には、初期設定におけるＭＦＰ１０の使用国が、パネル１６へのタッチ操作により選択された国に設定される。なお、パネル１６へのタッチ操作による国設定は、所定時間内に行われる必要があり、所定時間が経過すると、パネル１６へのタッチ操作ができなくなる。
【００５３】
初期設定におけるＭＦＰ１０の使用国が、設定専用用紙８０への書き込み、若しくは、パネル１６へのタッチ操作により選択された国に設定された場合には、ＣＰＵ１２では、マップデータとしての搬送量対応情報が参照され、国設定が完了した旨の工程情報８２ｃに対応する搬送量が抽出される。そして、設定専用用紙８０を、抽出された搬送量、搬送する旨の指令が、ＣＰＵ１２から搬送機構３２に送信される。なお、工程情報８２ｃに対応する搬送量は、設定専用用紙８０への工程情報８２ａの記載位置を基準として設定されている。具体的には、設定専用用紙８０における工程情報８２ａの記載位置と工程情報８２ｃの記載位置との間の距離に相当する量が設定されている。これにより、工程情報８２ｃが提示位置に搬送される。
【００５４】
一方、初期設定におけるＭＦＰ１０の使用国が設定できなかった場合、例えば、設定専用用紙８０へのユーザによる書き込みが無く、パネル１６へのユーザによるタッチ操作が無かった場合等には、ＣＰＵ１２では、マップデータとしての搬送量対応情報が参照され、国設定にエラーが生じた旨の工程情報８２ｂに対応する搬送量が抽出される。そして、設定専用用紙８０を、抽出された搬送量、搬送する旨の指令が、ＣＰＵ１２から搬送機構３２に送信される。なお、工程情報８２ｂに対応する搬送量は、設定専用用紙８０への工程情報８２ａの記載位置を基準として設定されている。具体的には、設定専用用紙８０における工程情報８２ａの記載位置と工程情報８２ｂの記載位置との間の距離に相当する量が設定されている。これにより、工程情報８２ｂが提示位置に搬送される。
【００５５】
国設定が完了すると、言語設定が行われ、言語設定の進捗状況に応じて、設定専用用紙８０が搬送される。ただし、言語設定の進捗状況に応じた設定専用用紙８０の搬送は、上述した国設定の進捗状況に応じた設定専用用紙８０の搬送と略同じであるため、説明を省略する。なお、工程情報８２ｄに対応する搬送量としては、設定専用用紙８０における工程情報８２ｃの記載位置と工程情報８２ｄの記載位置との間の距離に相当する量が、工程情報８２ｅに対応する搬送量としては、設定専用用紙８０における工程情報８２ｄの記載位置と工程情報８２ｅの記載位置との間の距離に相当する量が、工程情報８２ｆに対応する搬送量としては、設定専用用紙８０における工程情報８２ｄの記載位置と工程情報８２ｆの記載位置との間の距離に相当する量が、それぞれ設定されている。
【００５６】
次に、言語設定が完了すると、カートリッジ装着処理が行われる。この際、ＣＰＵ１２では、マップデータとしての搬送量対応情報が参照され、カートリッジ装着処理を開始する旨の工程情報８２ｇに対応する搬送量が抽出される。そして、設定専用用紙８０を、抽出された搬送量、搬送する旨の指令が、ＣＰＵ１２から搬送機構３２に送信される。なお、工程情報８２ｇに対応する搬送量は、設定専用用紙８０への工程情報８２ｆの記載位置を基準として設定されている。具体的には、設定専用用紙８０における工程情報８２ｆの記載位置と工程情報８２ｇの記載位置との間の距離に相当する量が設定されている。これにより、工程情報８２ｇが提示位置に搬送される。
【００５７】
そして、カートリッジ装着処理が完了した場合には、ＣＰＵ１２では、マップデータとしての搬送量対応情報が参照され、カートリッジ装着処理が完了した旨の工程情報８２ｉに対応する搬送量が抽出される。そして、設定専用用紙８０を、抽出された搬送量、搬送する旨の指令が、ＣＰＵ１２から搬送機構３２に送信される。なお、工程情報８２ｉに対応する搬送量は、設定専用用紙８０への工程情報８２ｇの記載位置を基準として設定されている。具体的には、設定専用用紙８０における工程情報８２ｇの記載位置と工程情報８２ｉの記載位置との間の距離に相当する量が設定されている。これにより、工程情報８２ｉが提示位置に搬送される。
【００５８】
一方、カートリッジ装着処理にエラーが生じた場合には、ＣＰＵ１２では、マップデータとしての搬送量対応情報が参照され、カートリッジ装着処理にエラーが生じた旨の工程情報８２ｈに対応する搬送量が抽出される。そして、設定専用用紙８０を、抽出された搬送量、搬送する旨の指令が、ＣＰＵ１２から搬送機構３２に送信される。なお、工程情報８２ｈに対応する搬送量は、設定専用用紙８０への工程情報８２ｇの記載位置を基準として設定されている。具体的には、設定専用用紙８０における工程情報８２ｇの記載位置と工程情報８２ｈの記載位置との間の距離に相当する量が設定されている。これにより、工程情報８２ｈが提示位置に搬送される。
【００５９】
カートリッジ装着処理が完了すると、初期導入時のパージ処理、テストプリントの出力処理、ハンドセットの取付確認処理、電話回線の判別処理が順次実行され、各処理の進捗状況に応じて、設定専用用紙８０が搬送される。ただし、初期導入時のパージ処理、テストプリントの出力処理、ハンドセットの取付確認処理、電話回線の判別処理の進捗状況に応じた設定専用用紙８０の搬送は、上述したカートリッジ装着処理の進捗状況に応じた設定専用用紙８０の搬送と略同じであるため、説明を省略する。なお、各処理を開始する旨の工程情報８２ｊ、８２ｍ、８２ｐ、８２ｓに対応する搬送量としては、その工程情報８２ｊ、８２ｍ、８２ｐ、８２ｓと、各処理の前の処理が完了した旨の工程情報８２ｉ、８２ｌ、８２ｏ、８２ｒとの間の距離に相当する量が設定されている。また、各処理にエラーが生じた旨の工程情報８２ｋ、８２ｎ、８２ｑ、８２ｔに対応する搬送量としては、その工程情報８２ｋ、８２ｎ、８２ｑ、８２ｔと、各処理を開始する旨の工程情報８２ｊ、８２ｍ、８２ｐ、８２ｓとの間の距離に相当する量が設定されている。また、各処理が完了した旨の工程情報８２ｌ、８２ｏ、８２ｒ、８２ｕに対応する搬送量としては、その工程情報８２ｌ、８２ｏ、８２ｒ、８２ｕと、各処理を開始する旨の工程情報８２ｊ、８２ｍ、８２ｐ、８２ｓとの間の距離に相当する量が設定されている。
【００６０】
そして、電話回線の判別処理が完了すると、ＣＰＵ１２では、マップデータとしての搬送量対応情報が参照され、ＭＦＰ１０の初期設定が完了した旨の工程情報８２ｖに対応する搬送量が抽出される。そして、設定専用用紙８０を、抽出された搬送量、搬送する旨の指令が、ＣＰＵ１２から搬送機構３２に送信される。なお、工程情報８２ｖに対応する搬送量としては、設定専用用紙８０における工程情報８２ｕの記載位置と工程情報８２ｖの記載位置との間の距離に相当する量が設定されている。これにより、工程情報８２ｖが提示位置に搬送される。そして、工程情報８２ｖの記載部位が提示位置に搬送されてから、５秒経過後に、設定専用用紙８０が、用紙排出口から排出される。
【００６１】
なお、国設定、言語設定、カートリッジ装着処理等の各処理でエラーが生じた場合には、提示位置に工程情報８２ｂ、８２ｅ、８２ｈ、８２ｋ、８２ｎ、８２ｑ、８２ｔの記載部位が搬送された後に、設定専用用紙８０が、用紙排出口から排出される。
【００６２】
このように、ＭＦＰ１０の初期設定においても、ＭＦＰ１０とＰＣ５６との無線通信の接続時と同様に、初期設定に行われる複数の工程のうちの実行中の工程に関する工程情報８２の記載部位が、提示位置に搬送される。これにより、ユーザは、提示位置に搬送される工程情報８２を閲覧することで、ＭＦＰ１０の初期設定の進捗状況を確認することが可能となっている。
【００６３】
また、設定専用用紙８０が搬送される際には、マップデータとして搬送量対応情報が用いられる。搬送量対応情報では、上述したように、各工程情報８２と、工程情報８２に応じた搬送量とが関連付けられている。このため、接続専用用紙７０のように、工程識別記号７６を利用することなく、工程情報８２の記載部位を提示位置に搬送することが可能となる。
【００６４】
また、設定専用用紙８０がイメージセンサ３５によって読み取られる際には、設定専用用紙８０へのユーザによる書き込みが読み取られ、その読み取り結果に応じた国設定、若しくは、言語設定が行われる。つまり、ＭＦＰ１０には、パネル１６，ボタン入力部１８等のユーザ操作を入力するための機構があるが、そのような機構が無い装置であっても、複数の項目から任意の項目を選択する工程を行うことが可能となる。
【００６５】
また、ユーザによる設定専用用紙８０への書き込みでなく、ユーザが、パネル１６へのタッチ操作により、複数の項目から任意の項目を選択した場合には、ユーザのパネル１６へのタッチ操作に応じた国設定、若しくは、言語設定が行われる。つまり、ユーザは、設定専用用紙８０への書き込みだけでなく、パネル１６へのタッチ操作によっても、複数の項目から任意の項目を選択することが可能である。このように、複数種類の選択手法を用意することで、操作性が向上する。
【００６６】
さらに言えば、第２実施形態のＭＦＰ１０では、用紙に記されている処理識別記号７８，８６に応じた処理が実行される。詳しくは、初期設定を開始するためのボタンと、無線通信の接続を開始するためのボタンが共通化されている。そして、その共通化されたボタンが押下され、接続専用用紙７０と設定専用用紙８０とのいずれかの用紙が、スキャン処理された際に、読み取られた処理識別記号７８，８６に応じて、初期設定、若しくは、無線通信の接続が開始する。これにより、ボタン数を少なくすることが可能となり、装置のコンパクト化を図ることが可能となる。
【００６７】
＜初期設定プログラム＞
上述したＭＦＰ１０の初期設定は、ＣＰＵ１２において初期設定プログラムが実行されることによって行われる。具体的に、図７乃至図９を用いて、ＭＦＰ１０の初期設定を行うためのフローを説明する。
【００６８】
初期設定プログラムでは、まず、開始ボタンが押下されたか否かが、ＣＰＵ１２によって判断される（Ｓ２００）。開始ボタンが押下されていない場合には（Ｓ２００のＮＯ）、Ｓ２００の処理が繰り返される。一方、開始ボタンが押下された場合には（Ｓ２００のＹＥＳ）、スキャン処理が開始する（Ｓ２０２）。次に、搬送機構３２による用紙の搬送経路において、用紙が検知されたか否かが、ＣＰＵ１２によって判断される（Ｓ２０４）。詳しくは、搬送機構３２による用紙の搬送経路には、用紙検出センサ（図示省略）が配設されており、用紙検出センサにより用紙が検知されたか否かが、ＣＰＵ１２によって判断される。用紙が検知されなかった場合には（Ｓ２０４のＮＯ）、初期設定プログラムが終了する。
【００６９】
一方、用紙が検知された場合には（Ｓ２０４のＹＥＳ）、搬送中の用紙が設定専用用紙８０であるか否かが、ＣＰＵ１２によって判断される（Ｓ２０６）。搬送中の用紙が設定専用用紙８０でない場合には（Ｓ２０６のＮＯ）、搬送中の用紙に応じた処理が実行される（Ｓ２０８）。詳しくは、例えば、搬送中の用紙が接続専用用紙７０である場合には、ＭＦＰ１０とＰＣ５６との無線通信の接続処理が実行される。そして、初期設定プログラムが終了する。
【００７０】
一方、搬送中の用紙が設定専用用紙８０である場合には（Ｓ２０６のＹＥＳ）、スキャン処理が停止する（Ｓ２１０）。そして、国設定を行うための画面、つまり、国Ａと国Ｂと国Ｃとから任意の国を選択するための画面を、パネル１６に表示する（Ｓ２１２）。続いて、国設定を開始する旨の工程情報８２ａに応じた搬送量が抽出される（Ｓ２１４）。なお、このステップでは、搬送量を抽出するために、搬送量対応情報がデータ記憶領域６４から取得される。そして、設定専用用紙８０が、抽出された搬送量、搬送される（Ｓ２１６）。
【００７１】
次に、搬送中の設定専用用紙８０の画像が読み取られ、読み取られた画像データに基づいて、設定専用用紙８０の工程情報８２ａへのユーザの書き込みの有無、つまり、工程情報８２ａへの書き込みにより国Ａと国Ｂと国Ｃとから任意の国を選択されたか否かが、ＣＰＵ１２によって判断される（Ｓ２１８）。工程情報８２ａへのユーザの書き込みが無い場合には（Ｓ２１８のＮＯ）、タッチパネルへの操作の有無、つまり、タッチ操作により国Ａと国Ｂと国Ｃとから任意の国を選択されたか否かが、ＣＰＵ１２によって判断される（Ｓ２２０）。タッチ操作により任意の国が選択されていない場合には（Ｓ２２０のＮＯ）、所定の時間が経過したか否かが、ＣＰＵ１２によって判断される（Ｓ２２２）。所定の時間が経過していない場合には（Ｓ２２２のＮＯ）、Ｓ２２０に戻る。一方、所定の時間が経過した場合（Ｓ２２２のＹＥＳ）、タッチ操作により任意の国が選択された場合（Ｓ２２０のＹＥＳ）、工程情報８２ａへのユーザの書き込みがある場合（Ｓ２１８のＹＥＳ）には、国設定が適切に行われたか否かが、ＣＰＵ１２によって判断される（Ｓ２２４）。
【００７２】
国設定が適切に行われた場合には（Ｓ２２４のＹＥＳ）、国設定が行われる（Ｓ２２６）。つまり、工程情報８２ａへの書き込み、若しくは、タッチ操作により選択された国に、ＭＦＰ１０の使用国が設定される。次に、国設定が完了した旨の情報８２ｃに応じた搬送量が抽出される（Ｓ２２８）。なお、このステップでは、搬送量を抽出するために、搬送量対応情報がデータ記憶領域６４から取得される。そして、設定専用用紙８０が、抽出された搬送量、搬送される（Ｓ２３０）。
【００７３】
一方、Ｓ２２４で国設定が適切に行われなかった場合（Ｓ２２４のＮＯ）、例えば、工程情報８２ａへの書き込みが無く、タッチ操作による任意の国の選択が無かった場合、無効な書き込み、無効なタッチ操作が有った場合等には、国設定にエラーが生じた旨の情報８２ｂに応じた搬送量が抽出される（Ｓ２６０）。なお、このステップでは、搬送量を抽出するために、搬送量対応情報がデータ記憶領域６４から取得される。次に、設定専用用紙８０が、抽出された搬送量、搬送される（Ｓ２５８）。そして、設定専用用紙８０が排出口から排出されるまで、搬送機構３２が作動し（Ｓ２５４）、初期設定プログラムが終了する。
【００７４】
また、Ｓ２３０で設定専用用紙８０が搬送された後に、国設定および言語設定が終了したか否かが、ＣＰＵ１２によって判断される（Ｓ２３２）。上記説明では、言語設定の処理について説明していないため、言語設定が終了していないと判断され（Ｓ２３２のＮＯ）、Ｓ２１２に戻る。なお、言語設定の処理は、国設定の処理と略同じであることから、説明を省略する。
【００７５】
言語設定が終了し、国設定および言語設定が終了した場合には（Ｓ２３２のＹＥＳ）、カートリッジ装着処理が実行される（Ｓ２３４）。次に、カートリッジ装着処理を開始する旨の工程情報８２ｇに応じた搬送量が抽出される（Ｓ２３６）。なお、このステップでは、搬送量を抽出するために、搬送量対応情報がデータ記憶領域６４から取得される。そして、設定専用用紙８０が、抽出された搬送量、搬送される（Ｓ２３８）。続いて、カートリッジ装着処理が適切に行われたか否かが、ＣＰＵ１２によって判断される（Ｓ２４０）。
【００７６】
カートリッジ装着処理が適切に行われた場合には（Ｓ２４０のＹＥＳ）、カートリッジ装着処理が完了した旨の情報８２ｉに応じた搬送量が抽出される（Ｓ２４２）。なお、このステップでは、搬送量を抽出するために、搬送量対応情報がデータ記憶領域６４から取得される。そして、設定専用用紙８０が、抽出された搬送量、搬送される（Ｓ２４４）。
【００７７】
一方、カートリッジ装着処理が適切に行われなかった場合には（Ｓ２４０のＮＯ）、カートリッジ装着処理にエラーが生じた旨の情報８２ｈに応じた搬送量が抽出される（Ｓ２５６）。なお、このステップでは、搬送量を抽出するために、搬送量対応情報がデータ記憶領域６４から取得される。次に、設定専用用紙８０が、抽出された搬送量、搬送される（Ｓ２５８）。そして、設定専用用紙８０が排出口から排出されるまで、搬送機構３２が作動し（Ｓ２５４）、初期設定プログラムが終了する。
【００７８】
また、Ｓ２４４で設定専用用紙８０が搬送された後に、カートリッジ装着処理、初期導入時のパージ処理、テストプリントの出力処理、ハンドセットの取付確認処理、電話回線の判別処理の全ての処理が終了したか否かが、ＣＰＵ１２によって判断される（Ｓ２４６）。上記説明では、カートリッジ装着処理以外の処理について説明していないため、全処理が終了していないと判断され（Ｓ２４６のＮＯ）、Ｓ２３４に戻る。なお、初期導入時のパージ処理、テストプリントの出力処理、ハンドセットの取付確認処理、電話回線の判別処理は、カートリッジ装着処理と略同じであることから、説明を省略する。
【００７９】
カートリッジ装着処理、初期導入時のパージ処理、テストプリントの出力処理、ハンドセットの取付確認処理、電話回線の判別処理の全ての処理が終了した場合には（Ｓ２４６のＹＥＳ）、初期設定が完了した旨の情報８２ｖに応じた搬送量が抽出される（Ｓ２４８）。なお、このステップでは、搬送量を抽出するために、搬送量対応情報がデータ記憶領域６４から取得される。次に、設定専用用紙８０が、抽出された搬送量、搬送される（Ｓ２５０）。そして、設定専用用紙８０が搬送された後に、５秒経過したか否かが、ＣＰＵ１２によって判断される（Ｓ２５２）。設定専用用紙８０の搬送後に５秒経過していない場合には（Ｓ２５２のＮＯ）、Ｓ２５２の処理が繰り返される。一方、設定専用用紙８０の搬送後に５秒経過した場合には（Ｓ２５２のＹＥＳ）、設定専用用紙８０が排出口から排出されるまで、搬送機構３２が作動し（Ｓ２５４）、初期設定プログラムが終了する。
【００８０】
＜ＣＰＵの機能構成＞
上記初期設定プログラムを実行するＣＰＵ１２は、それの実行処理に鑑みれば、スキャン処理実行手段と、処理実行手段と、搬送機構制御手段と、取得手段と、搬送量抽出手段とを有している。
【００８１】
スキャン処理実行手段は、上記初期設定プログラムのＳ２０２の処理を実行する機能部である。処理実行手段は、上記初期設定プログラムのＳ２０８、Ｓ２２６、Ｓ２３４の処理を実行する機能部である。搬送機構制御手段は、上記初期設定プログラムのＳ２１６、Ｓ２３０、Ｓ２３８、Ｓ２４４、Ｓ２５０、Ｓ２５８の処理を実行する機能部である。取得手段は、上記初期設定プログラムのＳ２１４、Ｓ２２８、Ｓ２３６、Ｓ２４２、Ｓ２４８、Ｓ２５６、Ｓ２６０の処理を実行する機能部である。搬送量抽出手段は、上記初期設定プログラムのＳ２１４、Ｓ２２８、Ｓ２３６、Ｓ２４２、Ｓ２４８、Ｓ２５６、Ｓ２６０の処理を実行する機能部である。
【００８２】
なお、本発明は、上記実施形態に限定されるものではなく、当業者の知識に基づいて種々の変更、改良を施した種々の態様で実施することが可能である。具体的には、例えば、上記第１実施形態では、ＭＦＰ１０とＰＣ５６との無線通信が接続される際には、接続専用用紙７０を搬送機構３２によって搬送することで、無線通信の進捗状況がユーザに報知されているが、接続専用用紙７０と異なる用紙を用いて、無線通信の進捗状況をユーザに報知することが可能である。具体的には、図１０に示す接続専用用紙９０を用いることが可能である。接続専用用紙９０には、接続専用用紙７０と同様に、工程情報７２と処理識別記号７８とが記載されている。ただし、接続専用用紙７０には、工程情報７２の記載されている行の先頭に、工程識別記号７６が記載されているが、接続専用用紙９０には、工程情報７２の記載されている行の先頭と異なる箇所に、工程識別記号９２が記載されている。
【００８３】
詳しくは、接続専用用紙９０には、複数の工程情報７２ａ〜７２ｈの各々に対応して、複数の工程識別記号９２ａ〜９２ｈが記載されており、各工程識別記号９２ａ〜９２ｈは、対応する工程情報７２ａ〜７２ｈから所定距離、上方にズレた位置に記載されている。つまり、接続専用用紙９０の搬送方向と反対の方向に記載されている。この所定距離は、提示位置とイメージセンサ３５の配設位置との搬送経路に沿う方向における離間距離であり、各工程識別記号９２ａ〜９２ｈがイメージセンサ３５に読み取られた際に、読み取られた工程識別記号９２ａ〜９２ｈに対応する工程情報７２ａ〜７２ｈの記載部位は、提示位置に搬送されている。このため、この接続専用用紙９０が用いられる場合には、各工程識別記号９２ａ〜９２ｈがイメージセンサ３５に読み取られた際に、搬送機構３２を停止させる旨の指令が、ＣＰＵ１２から搬送機構３２に送信される。これにより、接続専用用紙９０を用いても、接続専用用紙７０と同様に、無線通信の進捗状況をユーザに報知することが可能となる。
【００８４】
また、上記第２実施形態では、設定専用用紙８０の搬送量の基準位置として、設定専用用紙８０への処理識別記号８６の記載位置と、設定専用用紙８０への工程情報８２の記載位置とが採用されているが、設定専用用紙８０への処理識別記号８６の記載位置のみを採用することが可能である。ただし、設定専用用紙８０の搬送量の基準位置として、設定専用用紙８０への処理識別記号８６の記載位置のみが採用される場合には、設定専用用紙８０に記載されている工程情報８２同士の間の距離を、設定されている搬送量から演算する必要がある。
【００８５】
また、上記第２実施形態での設定専用用紙８０の搬送量は、例えば、Ｘｍｍ等の長さの単位で設定されるが、設定専用用紙８０に等ピッチで搬送方向に直角に交わる複数の補助線を記し、その補助線の本数を搬送量として設定することが可能である。詳しくは、例えば、搬送量を３本の補助線と設定されている場合には、搬送中の設定専用用紙８０の画像をイメージセンサ３５によって読み取り、その読み取った画像データから３本分の補助線が読み取られた際に、搬送を停止するように構成することが可能である。
【００８６】
また、上記実施形態では、専用用紙を用いて、各種処理、設定等の進捗状況をユーザに報知する装置として、ＭＦＰ１０が採用されているが、スキャン処理を実行可能な装置であれば、種々の装置を採用することが可能である。特に、近年では、装置のコンパクト化が進められており、表示能力の低いパネルを有する装置、若しくは、パネルを有していない装置が存在する。このような装置に、本発明を適用すれば、パネルに各種処理、設定等の進捗状況を表示することなく、ユーザは、各種処理、設定等の進捗状況を、搬送機構によって搬送される専用の用紙によって認知することが可能である。このようなことから、表示能力の低いパネルを有する装置、パネルを有していない装置等に、本発明を適用することで、本発明の効果を充分に発揮することが可能となる。
【００８７】
また、上記第２実施形態では、処理識別記号８６と工程情報８２との距離が、イメージセンサ３５の配設位置と提示位置との間の距離と同じとされているが、処理識別記号８６と工程情報８２との距離を、イメージセンサ３５の配設位置と提示位置との間の距離より短くすることが可能である。ただし、この場合には、処理識別記号８６を検出した後、処理識別記号８６と工程情報８２との距離と、イメージセンサ３５の配設位置と提示位置との間の距離との差に相当する距離だけ接続専用用紙９０を搬送する必要がある。
【００８８】
また、上記実施例では、工程記号対応情報、又は、搬送量対応情報が、マップデータとして、データ記憶領域６４に記憶されている。つまり、工程記号対応情報、又は、搬送量対応情報が、ＭＦＰ１０内部から取得されるが、工程記号対応情報、又は、搬送量対応情報を、ＭＦＰ１０外部から取得することが可能である。例えば、工程記号対応情報、又は、搬送量対応情報をＩＣチップ等に記憶させ、そのＩＣチップを接続専用用紙７０又は接続専用用紙９０に貼着する。そして、搬送経路にＲＦＩＤリーダ等を設け、そのＲＦＩＤリーダにより、ＩＣチップから、工程記号対応情報、又は、搬送量対応情報を取得することが可能である。
【００８９】
また、上記実施形態では、ＣＰＵ１２によって図３乃至図５、若しくは、図７乃至図９に示す処理が実行される例を説明したが、これら処理は、ＣＰＵ１２に限らず、ＡＳＩＣや他の論理集積回路により実行されてもよいし、これら処理が、ＣＰＵ１２やＡＳＩＣ、他の論理集積回路が協働することにより実行されてもよい。
【符号の説明】
【００９０】
１０：ＭＦＰ（スキャン装置）
１２：ＣＰＵ（制御装置）（コンピュータ）
１８：ボタン入力部（操作部）
３２：搬送機構
３４：読取装置
３５：イメージセンサ（読取り素子）
６４：データ記憶領域（記憶装置）
７０：接続専用用紙（専用用紙）
８０：設定専用用紙（専用用紙）
９０：接続専用用紙（専用用紙）
１００：スキャン処理実行手段
１０２：処理実行手段
１０４：搬送機構制御手段
１０６：取得手段
１０８：識別記号抽出手段
１１０：識別記号検出手段
【図１】
2015070494.tif 000003
【図２】
2015070494.tif 000004
【図３】
2015070494.tif 000005
【図４】
2015070494.tif 000006
【図５】
2015070494.tif 000007
【図６】
2015070494.tif 000008
【図７】
2015070494.tif 000009
【図８】
2015070494.tif 000010
【図９】
2015070494.tif 000011
【図１０】
2015070494.tif 000012